(57)【特許請求の範囲】
【請求項１】
電柱を立設させた状態で、当該電柱の中空部内部に補強材を挿入して補強するときの電柱の補強方法であって、
立設した電柱の側面に側面開口を形成すると共に電柱頂部に頂部開口を形成する開口形成工程と、
前記側面開口から電柱中空部内部に電柱上部を補強する複数本の上部ロッドを挿入する上部ロッド挿入工程と、
中心部に中心軸方向に延伸するガイド棒と、周縁近傍に複数本の上部ロッドを分散配置させる複数のロッド保持部とを有するロッド配置用調整治具を各ロッド保持部のそれぞれに上部ロッドを保持させつつ前記頂部開口から挿入する頂部挿入工程と、
中心部に前記ガイド棒を挿通させるガイド孔と、周縁近傍に複数本のロッドを分散配置させるロッド保持部とを有するロッド配置用補助具を前記側面開口から挿入する側面挿入工程と、
前記ロッド配置用調整治具のガイド棒をロッド配置用補助具のガイド孔に挿通させると共にロッド配置用補助具の各ロッド保持部のそれぞれに上部ロッドを保持させつつロッド配置用調整治具の下方にロッド配置用補助具を配置する配置工程と、
前記側面開口から電柱内部の中空部に電柱下部を補強する複数本の下部ロッドを挿入する下部ロッド挿入工程と、
前記複数の下部ロッドをロッド配置用補助具で位置決めした後に、前記側面開口から補強材を投入して下部ロッドを固定する下部ロッド固定工程と、
前記側面開口を塞ぐ閉塞工程と、
前記頂部開口から補強材を投入する補強材投入工程と
を備えることを特徴とするコンクリート製電柱の補強方法。
【請求項２】
前記開口形成工程の後に、
上部ロッドを保持し固定するためのロッド固定装置を電柱頂部に取り付ける工程をさらに加えたことを特徴とする請求項１に記載のコンクリート製電柱の補強方法。
【請求項３】
前記閉塞工程は、
前記側面開口を塞いだ後にアラミド繊維シートで補強する工程を含むことを特徴とする請求項１乃至２のいずれかに記載のコンクリート製電柱の補強方法。
【請求項４】
前記開口形成工程は、
前記電柱頂部に取り付けられた蓋を外して形成する工程を含むことを特徴とする請求項１乃至３のいずれかに記載のコンクリート製電柱の補強方法。
【請求項５】
前記ロッド配置用補助具は吊り下げ部を少なくとも１つを有し、電柱頂部から吊り下げた紐で吊り下げられてロッド配置用調整治具の下方に配置されることを特徴とする請求項１乃至４のいずれかに記載のコンクリート製電柱の補強方法。
【発明の詳細な説明】
【技術分野】
【０００１】
本発明は、既設のコンクリート製の電柱を立設した状態で補強を行うためのコンクリート製電柱の補強方法に関する。
【背景技術】
【０００２】
コンクリート製の電柱Ｐは、通常は電柱Ｐの基端部の所定長部分が地中に埋設されて地上に立設される。このような電柱Ｐは、その外周部が鉄筋とコンクリートにより作製される筒状体であり、その内部は空洞、すなわち中空となっている。また、電柱Ｐの所定高にはアース孔（地気線取出口）が設けられ、さらに電柱Ｐの最上端部の頂部には蓋、すなわち末口蓋がモルタル等により取り付けられ、電柱Ｐの中空部内に雨などが入らないようになっている。
【０００３】
このようなコンクリート製の電柱Ｐは、電柱Ｐの設置環境や経年変化などにより強度が劣化し、低下する可能性のあることが指摘されることもあった。そのため、このようなコンクリート製の電柱Ｐは定期的に点検され、適宜、補強や立て替えが行われている。また、点検等により電柱Ｐを補強する際には、地際に近い部分を中心にして重点的に行うのが一般的である。
【０００４】
例えば、電柱Ｐの地際から１ｍ程、上方の電柱側面に形成されたアース孔などの側面開口部から電柱Ｐの内部に補強材としてのロッドを複数本、挿入し、次にこれらロッドの隙間に例えば豆砂利や砕石を投入し、更にモルタルやコンクリートなどを順次投入し、これにより電柱Ｐの最下端部から側面開口部付近までを補強するようにしている。
【特許文献１】特願２００３−２４１７６号
【発明の開示】
【発明が解決しようとする課題】
【０００５】
上述したように、従来のコンクリート製の電柱の補強方法では、電柱Ｐの最下端部から地際に近いアース孔が形成されている部分付近までを補強しているため、このアース孔よりも上方部分は内部が空洞のままである。
【０００６】
しかしながら、コンクリートの経年変化等の劣化により電柱Ｐの強度が低下することは、電柱全体で同様に起こりうることが想定されることであり、そのため、コンクリート製電柱を全体で補強することが要望されている。特に、電柱でも、その全長が１６ｍほどあり、その内部が上方で狭くなっている共架柱といわれる電柱を迅速かつ確実に補強する必要性が高い。
【０００７】
本発明は、上記に鑑みてなされたもので、その目的とするところは、既設のコンクリート製の電柱を立設した状態で、かつコンクリート製の電柱の全体を確実かつ効率的に補強するコンクリート製の電柱の補強方法およびこの補強方法で補強されたコンクリート製の電柱を提供することにある。
【課題を解決するための手段】
【０００８】
上記の課題を解決するために、請求項１の補強方法は、電柱を立設させた状態で、当該電柱の中空部内部に補強材を挿入して補強するときの電柱の補強方法であって、立設した電柱の側面に側面開口を形成すると共に電柱頂部に頂部開口を形成する開口形成工程と、前記側面開口から電柱中空部内部に電柱上部を補強する複数本の上部ロッドを挿入する上部ロッド挿入工程と、中心部に中心軸方向に延伸するガイド棒と、周縁近傍に複数本の上部ロッドを分散配置させる複数のロッド保持部とを有するロッド配置用調整治具を各ロッド保持部のそれぞれに上部ロッドを保持させつつ前記頂部開口から挿入する頂部挿入工程と、中心部に前記ガイド棒を挿通させるガイド孔と、周縁近傍に複数本のロッドを分散配置させるロッド保持部とを有するロッド配置用補助具を前記側面開口から挿入する側面挿入工程と、前記ロッド配置用調整治具のガイド棒をロッド配置用補助具のガイド孔に挿通させると共にロッド配置用補助具の各ロッド保持部のそれぞれに上部ロッドを保持させつつロッド配置用調整治具の下方にロッド配置用補助具を配置する配置工程と、前記側面開口から電柱内部の中空部に電柱下部を補強する複数本の下部ロッドを挿入する下部ロッド挿入工程と、前記複数の下部ロッドをロッド配置用補助具で位置決めした後に、前記側面開口から補強材を投入して下部ロッドを固定する下部ロッド固定工程と、前記側面開口を塞ぐ閉塞工程と、前記頂部開口から補強材を投入する補強材投入工程とを備えることを要旨とする。
【０００９】
請求項１の補強方法によれば、側面開口から電柱内部の中空部に複数本の上部ロッドを挿入する上部ロッド挿入工程と側面開口から電柱内部の中空部に電柱下部を補強する複数本の下部ロッドを挿入する下部ロッド挿入工程とを備えることで長尺のロッドの電柱内部の中空部への挿入作業を地表で行うことができ、その作業を安全かつ速やかに行うことが可能となる。またロッド配置用補助具のガイド孔に、ロッド配置用調整治具の中心部にあって中心軸方向に延伸するガイド棒を挿通させることから、ロッド配置用調整治具の中心軸にそってロッド配置用補助具も配置され、これにより電柱内部の中空部の全長（全高）にわたってロッドの分散配置に際しての効率をさらに高め、かつコンクリート製の電柱の全体を確実かつ効率的に補強することが可能となる。
【００１０】
請求項２の補強方法は、請求項１記載の補強方法において、前記配置工程の後に、前記側面開口から電柱内部の中空部に電柱下部を補強する複数本の下部ロッドを挿入する下部ロッド挿入工程と、前記複数の下部ロッドをロッド配置用補助具で位置決めした後に、前記側面開口から補強材を投入して下部ロッドを固定する下部ロッド固定行程がさらに加わることを要旨とする。
【００１１】
請求項２の補強方法では、側面開口から電柱内部の中空部に電柱下部を補強する複数本の下部ロッドを挿入する下部ロッド挿入工程と、複数の下部ロッドをロッド配置用補助具で位置決めした後に、前記側面開口から補強材を投入して下部ロッドを固定する下部ロッド固定行程とを備えることで、電柱内部の中空部の全長（全高）にわたって、複数本のロッドを容易にかつ的確に分散配置させることが可能となる。さらに側面開口から電柱中空部内部に基礎形成し、さらに頂部開口から補強材を投入し、コンクリート製の電柱の全体を確実かつ効率的に補強することも可能となる。
【００１２】
請求項２の補強方法は、前記開口形成工程の後に、上部ロッドを保持し固定するためのロッド固定装置を電柱頂部に取り付ける工程がさらに加わることを要旨とする。
【００１３】
請求項２の補強方法では、ロッド固定装置を電柱頂部に取り付けることにより、補強作業中の上部ロッドの保持、仮止めを容易かつ確実なものとし、作業性をあげることができる。
【００１６】
請求項３の補強方法は、前記閉塞工程は、前記側面開口を塞いだ後にアラミド繊維シートで補強する工程がさらに加わることを要旨とする。
【００１７】
請求項３の補強方法では、作業用に電柱側面に開口した側面開口を塞いだ後に、この塞いだ部分をアラミド繊維シートで覆い補強するようにしている。
【００１８】
請求項４の補強方法は、前記開口形成工程は、前記電柱頂部に取り付けられた蓋を外して形成する工程がさらに加わることを要旨とする。
【００１９】
請求項４の補強方法では、電柱の頂部への開口を電柱頂部に取り付けられた蓋を外して電柱中空部を露呈することで頂部開口部を形成し、電柱側面に開口した側面開口から挿入出来ないロッド配置用調整治具の挿入を可能とにしている。
【００２０】
請求項５の補強方法は、前記ロッド配置用補助具は吊り下げ部を少なくとも１つを有し、電柱頂部から吊り下げた紐で吊り下げられてロッド配置用調整治具の下方に配置されることを要旨とする。
【００２１】
請求項５の補強方法では、ロッド配置用補助具は、電柱頂部から吊り下げた紐で吊り下げられてロッド配置用調整治具の下方に配置される。なお、この吊り下げ部はロッド孔の近傍に設けられるとロッド配置用補助具を安定して吊り上げることができる。また、さらにカメラ等を吊り下げるための吊り下げ部をさらに設けても良い。
【発明の効果】
【００２４】
本発明によれば、使用中の電柱を立設した状態で電柱の側面開口部から複数本のロッドを挿入し、これら複数本のロッドをそれぞれ最適位置に分散配置した後に、側面開口部を塞ぎ、電柱の頂部開口部から補強材を投入することが可能であることから、コンクリート製の電柱の全体を均一的にかつ効率的に補強することができる。
【発明を実施するための最良の形態】
【００２５】
以下、本発明の実施の形態を図面を参照して説明する。
【００２６】
図１は、本発明に係る補強方法の処理手順を説明するフローチャートであり、図２、８、１０、１１、１４、１７、２１乃至３９は本補強方法の一つの実施の形態における各工程の電柱およびその内部を示す図である。
【００２７】
また、図３、図４は落下防止ネット１７の構成、使用状況を示す図であり、図５乃至図７はロッド固定装置の構成及びロッド固定装置の取り付け金具とその取り付けを示す図であり、図９は上部ロッドＬＵの構成及びその延長のための接続金具とその使用状態を示す図であり、図１２、１３はロッド配置用調整治具３０の構成及びロッド配置用調整治具３０を電柱中空部に挿入する際の状態を示す図であり、図１５、１６はそれぞれロッド受台２５の構成及びロッド受台２５の取り付け状態を示す図であり、図１８はロッド配置用補助具４０の構成を示す斜視図であり、図１９、図２０はロッド配置用補助具４０を電柱中空部に挿入する際の状態を示す図である。
【００２８】
まず、本補強方法により補強される電柱Ｐの概略について説明する。電柱Ｐは、中空のコンクリート製の電柱であり、その全長は例えば１６ｍほどであり、その内部が上方で狭くなっている共架柱といわれるものである。また下端から２．６ｍ程度の部分を地中に埋設させて立設し、地上には残りの１３．４ｍほどの部分が現れている。本補強方法では、電柱Ｐの頂部での作業は、例えば、吊り上げ装置付き高所作業車などによって行われる。なお、本発明は内部が上方で狭くなっている電柱に限定されないものであるから、中空部内部の内径が上下方向でほぼ同一の、例えば単独柱にも適用可能である。
【００２９】
なお、以下に示す例では、各補助具、治具等を電柱Ｐ中空部内部に残置した場合を示しているが、適宜、任意の補助具、治具等を補強工事の際に回収するようにしても良いのは言うまでもないことである。
【００３０】
次に、図１に示すフローチャート及び図２乃至図４０を参照して本補強工法を、その工程に従って説明する。
【００３１】
まず、ステップＳ１１において、電柱Ｐ最上部に取り付けられている末口蓋Ｔを取り外し、頂部開口ＨＴを形成する。末口蓋Ｔは、電柱Ｐの中空部分を上部から塞ぐためのコンクリート製の円盤状の蓋体であって、電柱頂部にボルトなどを用いて固定される。そのため、この末口蓋Ｔを取り外す際には、ボルト部分をバールおよび金槌等の工具を使用してはつり、取り外すことになる。なお、このような末口蓋Ｐ1の取り外しに際しては、末口蓋Ｐ1やはつった際の破片等の落下を防止するための落下防止ネット１７等を予め電柱頂部に設けてから作業を進めると良い。
【００３２】
次に、落下防止ネット１７の構成を図３及び図４を参照して説明する。この落下防止ネット１７は、図４に示すように例えばアラミド繊維で作製された700×1700mm程度の広さのネット状のシート１７１に、一側（上側）の長辺に所定の弾性を有する部材、ここではビニールホース１７３を加工して取り付け、このビニールホース１７３に長さ400mm程度の４〜６本のアラミドロッド１７５を所定の間隔で取り付けると共に、締結用の複数の紐１７７，１７９を取り付けたものである。
【００３３】
また電柱頂部への落下防止ネット１７の取り付けは、図３に示すように、電柱頂部を落下防止ネット１７を巻回し、紐１７７で締結する。落下防止ネット１７上部はビニールホース１７３の弾性とアラミドロッド１７５により傘のようにほぼ円形に展開されることから、後述するロッド固定装置１０及びロッド等の取り扱い作業を行い易い。
【００３４】
この頂部開口ＨＴから電柱内部、例えば中空部内壁面の状態及び中空部底部の様子を目視、または後述するカメラＣで確認する。
【００３５】
次に、ステップＳ１３において、電柱最上部にロッド固定装置１０を取り付ける。このロッド固定装置１０の構成を図５乃至図７を参照して説明する。
【００３６】
図５（ａ）はロッド固定装置１０の構成を示す斜視図、（ｂ）は同平面図、図６（ａ）はロッド固定金具単体の正面図、（ｂ）ロッド固定金具単体の平面図である。また、図７はロッド固定装置１０を電柱頂端部に取り付ける際に使用する取り付け金具１５とその取り付け状態を示す平面図である。
【００３７】
図５（ａ）に示すロッド固定装置１０の斜視図は、図６（ａ）、（ｂ）に示すロッド固定金具１１を４組（１１Ａ，１１Ｂ，１１Ｃ，１１Ｄ）電柱頂部に取り付けた状態を示すものである。
【００３８】
以下、図６（ａ）を参照してロッド固定金具１１（ロッド固定金具１１Ｃ）の構成を説明する。ロッド固定金具１１は、電柱Ｐの頂部外周に巻回された取り付けバンド１５により電柱頂部に取り付けられる支柱板１１１、この支柱板１１１に上下方向の位置を自在に変更可能に取り付けられる支持腕１１５、この支持腕１１５に水平方向の位置を自在に変更可能に取り付けられ、ロッドを着脱自在に保持するロッド留め具１１９によって構成される。
【００３９】
具体的には、支柱板１１１は幅数cm、長さ数１０cmの帯状鋼板を中程で９０度捻って形成される板状体であり、その上部側板体のほぼ全長に渡ってスリット１１３を設けたものである。また支持腕１１５は幅数cm、長さ数１０cmの帯状鋼板のほぼ全長に渡ってスリット１１７を設けたものであり、ロッド留め具１１９は長さ５〜１０cm程度で、中程にロッドを保持するための弧状部分を有する。これらは各スリット同士を適宜、最適位置で合わせ、蝶ナットとボルトを用いて締結することにより、それぞれを固定するとができる。
【００４０】
また、図７に示す支持補助金物１３は、対向する位置にあるロッド固定金具１１同士を、個々のロッド固定金具１１がずれたり、回転しないように固定するための板状体である。なお、この支持補助金物１３に支持腕１１５あるいはロッド留め具１１９を取り付けて、ロッドを保持するようにしても良い。
【００４１】
また、取り付けバンド１５はボルトにより支柱板１１１をその周方向の位置を固定的に固定することから、取り付けバンド１５を電柱の頂部に取り付ける際には、後述するステップＳ１５における側面開口Ｈｓの開口位置との位置合わせをする必要がある。
【００４２】
ステップＳ１５において、電柱側壁面を削孔し、側面開口Ｈｓを形成する。図２に示すように、電柱Ｐ側面の地表に近い箇所、例えば、地表（ＧＬ）から１ｍ〜１．６ｍの箇所に、削孔機（電動ドリル、超音波削孔機など）Ｄで電柱側面の所定位置に側面開口Ｈｓを形成する。この側面開口Ｈｓの形状は、電柱Ｐの穿孔位置における内径によって異なるものの（特に鉛直方向の径）、水平方向の径が３０〜５０ｍｍ程度、鉛直方向の径が３００〜４００ｍｍ程度の略長方形または略楕円形である。
【００４３】
この側面開口Ｈｓの形成に際しては、電柱Ｐの外周部をなすコンクリートには、所定の間隔で鉄筋が配筋されていることから、これら鉄筋を避けて側面開口Ｈｓを形成する必要がある。すなわち、長手方向（立設時の略鉛直方向）に配筋される鉄筋の配筋間隔は、外周に沿って水平方向に９０度ごとに配筋間隔が他の箇所よりも若干大きい箇所が設けられている。このような箇所には、電柱外周面にアース孔や足場ボルト装着用の孔が設けられていることが多いので、これらアース孔等を目印にして側面開口Ｈｓを設ける。
【００４４】
また、作業の開始に当たっては、予め電柱Ｐの頂部開口ＨＴ若しくは側面開口Ｈｓから電柱Ｐの中空部分に、後述するワイヤで吊したカメラＣを挿入し撮影した中空部の内側表面及び底部の状況の映像をモニタＭで観察し、状況を確認しておく（例えば図２３参照）。
【００４５】
具体的には、例えばカメラＣが電柱中空部の最下端部の底面近傍の上方に到達した場合には、この電柱底部内部の状態をカメラＣで撮像し、この撮像した画像をモニタＭで確認する。
【００４６】
電柱Ｐの内部の底には、例えばアース孔等から侵入した砂埃や雨水により、ヘドロなどを含む土砂や溜水が貯まっていることがある。また、電柱Ｐの最下端部近傍の内周部はコンクリートが内側に膨出して、いわゆるノロが形成されることもある。また、さらには電柱Ｐのコンクリート外周部を構成している鉄筋を相互に固定する針金が中空部側に露出していることがある。これらの状態をカメラＣで撮像してモニタＭで確認する。
【００４７】
そして、電柱Ｐの溜水や土砂などが底部にある場合には、例えば排水ポンプやバキュームなどを用いて溜水や土砂などを外部に排出し、針金は適宜、線材カッター等の工具を使用して除去しておく。
【００４８】
更に、電柱Ｐの内部には、下端が地中に埋設された部分で接地され、上端が上方に延出しているアース線が中空部内壁に沿って設けられているので、このようなアース線はアラミドロッドＬなどの配置に支障がないように適宜、処理する。
【００４９】
続いて、電柱Ｐの内部にロッドＬやロッド配置用補助具５などが円滑に挿入し得るか否かについてテスト用ロッド配置補助具を用いて試行すると共に、上述したカメラＣとモニタＭを用いて中空部内壁面状態及び挿入試行課程を撮影した映像で作業性等を詳細に確認して終了する。
【００５０】
なお、この側面開口Ｈｓの形成は、ステップＳ１１において  頂部開口ＨＴの形成と同時に行っても良い。
【００５１】
図８を参照するに、ステップＳ１７において、まず電柱Ｐの頂部に吊り糸巻き取り用リール２１を設置する。この吊り糸巻き取り用リール２１は、例えば魚釣り用のリールを転用したものであっても良い。
【００５２】
次に頂部開口ＨＴから電柱Ｐ中空部内を吊り糸巻き取り用リール２１に巻回された吊り糸２３を繰り出し、吊り糸２３を降下させる。この吊り糸２３は釣り糸（ナイロン製１０号程度）等を用いることができ、その先端には錘２３ｗが、例えばスナップ付きサルカン等により接続されている。この吊り糸２３の先端を側面開口Ｈｓより外部に引き出し、上部ロッドＬＵ上端に接続されたアラミドロッドひもＬＬと結束する。
【００５３】
続いて、吊り糸巻き取り用リール２１に巻回された吊り糸２３を巻き取り、アラミドロッドひもＬＬ、上部ロッドＬＵを順次、電柱内部を引き上げ、アラミドロッドひもＬＬが電柱頂部に達したところで、スナップ付きサルカンからアラミドロッドひもＬＬを外し、そのアラミドロッドひもＬＬを電柱頂部のロッド固定装置１０に仮止めして、上部ロッドＬＵを吊り下げた状態とする。図１０に示すように同様な作業を繰り返し、複数本（本実施の形態では４本）の上部ロッドＬＵを電柱中空部内部に吊り下げる。
【００５４】
なお、以降の説明では、４本の上部ロッドＬＵを用いた場合を説明するが、本発明はこの本数に限定されないものである。
【００５５】
ここで、この上部ロッドＬＵについて図９を参照して説明する。この上部ロッドＬＵは、二本の短尺のアラミドロッドを継いで長尺のアラミドロッドとして用いる。例えば、図９に示される例では、（ａ）に示す上部側の上部ロッドＬＵＵと、（ｂ）に示す下部側の上部ロッドＬＵＤとを所定長だけラップさせて、３組のロッド用留め具Ｌｃを用いて接続させて、長尺の上部ロッドＬＵに加工して用いる。
【００５６】
すなわち、施工現場で容易に長尺ロッドに加工できることから、搬送時には搬送に適した長さのロッドで搬送し、施工時にはラップ長を調整することで、電柱の長さ（高さ）に合わせた、厳密には中空部の長さに合わせた最適長の長尺ロッドを、容易に入手することができる。
【００５７】
なお、本実施例では、上部側の上部ロッドＬＵＵの長さは、例えば９．１ｍほどであり、下部側の上部ロッドＬＵＤの長さは、例えば６．０ｍほどであり、上部側の上部ロッドＬＵＵと、下部側の上部ロッドＬＵＤとを大凡９０ｃｍ程ラップさせて接続し、全体長１３．３ｍほどの長さとなるようにしている。
【００５８】
また、上部側の上部ロッドＬＵＵ  の上端部には２ｍ〜５ｍ程の長さのアラミドロッドひもＬＬが締結され、下部側の上部ロッドＬＵＤの下端部には、例えば異型鉄筋などで形成された錘用の錘Ｌｗがビス留めにより、それぞれ取り付けられている。この錘Ｌｗは、後述する電柱内部への挿入を安定して行うと共に、モルタルを充填した際に比重の軽い上部ロッドＬＵがモルタル等内で浮き上がり不安定になるのを防止するためのものである。
【００５９】
また上部側の上部ロッドＬＵＵと下部側の上部ロッドＬＵＤとの接続は、ロッド接続用留具Ｌcを用いて行う。このロッド接続用留具Ｌcは、図９（ｄ）に示すように、ステンレス製の帯状のバンドをＯ字状に形成して、その帯状体の中央と両端をビスで締結できるように構成されている。また、このビスはねじ部分の所定の位置に切り込みが設けられており、ロッド接続用留具Ｌcで二本のロッドを緊締後、ペンチ等によりビスの先端の余長部分の切断を容易に行うことができる。これにより、上部ロッドＬＵ の上げ下げ時、あるいは後述するロッド配置用調整治具３０の挿入時に、ロッド配置用調整治具３０あるいは後述するロッド配置用調整治具３０のロッド保持部３５とビスの先端部分が引っかかることがなく円滑な操作が可能となる。
【００６０】
また、上部側の上部ロッドＬＵＵの下端部分と下部側の上部ロッドＬＵＤの上端部分のそれぞれの先端は、図９（ｃ）に示すように斜めに切断、整形されている。これにより、上部ロッドＬＵ の上げ下げ時、あるいは後述するロッド配置用調整治具３０の挿入時に、ロッド配置用調整治具３０と上部ロッドＬＵの接続部分のそれぞれの先端部分が引っかかることがなく円滑な操作が可能となる。
【００６１】
続いて、ステップＳ２３において、図１１に示す状態から、上部ロッドＬＵの下端が側面開口ＨＳ位置より上方となる位置まで上部ロッドＬＵを引き上げ、側面開口ＨＳから電柱内部にロッド受台２５を挿入し、ロッド受台２５上面に上部ロッドＬＵの下端が着くまで上部ロッドＬＵを下ろし、上部ロッドＬＵ上端のアラミドロッドひもＬＬを電柱頂部のロッド固定装置１０において仮固定する。
【００６２】
このとき、ステップＳ２１において、図１１に示すように、３組のロッド配置用調整治具３０（３０Ａ，３０Ｂ，３０Ｃ）を、頂部開口ＨＴから電柱内部に順次、挿入する。
このロッド配置用調整治具３０を電柱内部に挿入する際には、電柱頂部のロッド固定装置１０に仮固定された上部ロッドＬＵ上端のアラミドロッドひもＬＬの仮固定を解除して、このアラミドロッドひもＬＬをロッド配置用調整治具３０のロッド保持部３５に挿通させ、再度、仮固定する作業を繰り返しながら、順次、行う。
【００６３】
このロッド配置用調整治具３０の使用数量は、電柱長、アラミドロッド本数等によって適宜、増減することができる。また、これらロッド配置用調整治具３０の挿入時には、後述する各ロッド保持部３５に上部ロッドＬＵを挿入し、ロッドの最適配置を行う。
【００６４】
つまり、電柱長及びロッド本数が増加するに従い、電柱内部に挿入したロッドの偏在化が問題となるが、適宜、施工費用、作業効率を鑑みながら、ロッド配置用調整治具３０を増減することで、ロッドの最適配置を容易に行い得る。
【００６５】
ここで、図１２及び図１３を参照して、ロッド配置用調整治具３０の構成について説明する。
【００６６】
ロッド配置用調整治具３０は、図１２に示すように、棒状部３１を中心軸にして取り付けられる。また、ロッド配置用調整治具３０は、この棒状部３１から放射状にかつ周方向で均等に設けられている４組の上腕部と下腕部とからなる腕部３３と、上腕部および下腕部のいずれかの中程に取り付けられるロッド保持部３５を有している。
【００６７】
このロッド保持部３５は、ある腕部３３においてロッド保持部３５が上腕部に取り付けられる場合には、その腕部３３に両隣で隣接する腕部３３ではロッド保持部３５は下腕部に取り付けられ、図１３に示すように各腕部３３を閉じた際に全体的により細くなるように構成される。
【００６８】
また、各下腕部の下端部は、棒状部３１に対し固定して取り付けられ、また各上腕部の上端部は、可動連結部により棒状部３１に対して上下方向に可動可能に取り付けられ、さらに各下腕部の上端部と各上腕部の下端部は揺動自在に軸支されることにより、腕部３３の直径方向の長さを任意に可変可能に構成される。
【００６９】
このように構成されるロッド配置用調整治具３０を、電柱Ｐの頂部開口ＨＴから電柱Ｐの内部に挿入する際には、ロッド配置用調整治具３０の可動連結部を上方に移動させ（引き上げ）、図１３に示すように、各腕部３３を閉じてロッド配置用調整治具３０全体を細くする（窄まる）ことにより電柱Ｐの頂部開口ＨＴから電柱Ｐ内部への挿入を容易に行い得ることが可能となる。
【００７０】
また、各ロッド保持部３５は、同じ径を有する２個の半円環型部材の端部同士を互いに可動自在に取り付けて構成されており、この半円環型部材を環状に展開して上部ロッドＬＵを保持する。例えば、３組のロッド配置用調整治具３０Ａ、３０Ｂ、３０Ｃの各々４つの半円環型部材に４本の上部ロッドＬＵ がそれぞれ保持される。
【００７１】
またロッド配置用調整治具３０Ａの棒状部３１Ａの下端部には、配置用補助具ガイド棒３１Ｇが螺合して連結される。この配置用補助具ガイド棒３１Ｇは棒状部３１Ａと同一径であり、長さは配置用補助具ガイド棒３１Ｇ単体で２５００〜４０００ｍｍであり、電柱長に応じて適宜、最適長の配置用補助具ガイド棒３１Ｇが選択され、連結して使用される。この配置用補助具ガイド棒３１Ｇは、後述するロッド配置用補助具４０の電柱内部での昇降をガイドすると共に電柱の補強に大きく寄与するものである。
【００７２】
具体的には、一番目のロッド配置用調整治具３０Ａの棒状部３１Ａの下端部に配置用補助具ガイド棒３１Ｇを連結すると共に、ロッド配置用調整治具３０Ａの棒状部３１Ａの上端部に、二番目のロッド配置用調整治具３０Ｂの棒状部材を予め連結する。この連結したままの状態で電柱頂部から電柱中空部内に挿入する。続いて、図１４に示すように、三番目のロッド配置用調整治具３０Ｃを電柱頂部から電柱中空部内に挿入し、ロッド配置用調整治具３０Ｂと連結する。このように、ロッド配置用調整補助具７ロッド配置用調整治具３０（３０Ａ，３０Ｂ，３０Ｃ，・・・）を順次、連結していくことにより、補強箇所を任意長だけ下方に向けて延長することができる。なお、連結の仕方としては、棒状部３１の内周部分にねじを切りボルトで連結する外、外周部分にねじを切りナットで連結しても良く、あるいははめ込みによるものであっても良い。
【００７３】
次に、ステップＳ２３において、図１４に示すように、上部ロッドＬＵの下端が側面開口Ｈｓ位置より上方となる位置まで上部ロッドＬＵを引き上げ、その後、側面開口Ｈｓから電柱内部にロッド受台２５を挿入する。このロッド受台２５上面に、一旦引き上げた上部ロッドＬＵの下端が着くまで上部ロッドＬＵを下ろし、その位置で上部ロッドＬＵ上端を電柱頂部に固定されるロッド固定装置１０で仮固定する。
【００７４】
ロッド受台２５の電柱内部への挿入に際しては、側面開口Ｈｓが上下方向に長い長円形であることから、一旦、ロッド受台２５を垂直方向に立てて挿入し、挿入後に９０度だけ回転させ水平面となるようにする。このロッド受台２５の挿入の仕方は、後述するロッド配置用補助具４０においても同様である。
【００７５】
ここで図１５及び図１６を参照して、ロッド受台２５の構成と電柱への取り付けについて説明する。
【００７６】
ロッド受台２５は、上部ロッドＬＵの下端部分を受ける受け台２５ａと、この受け台２５ａを支持する支持金具２５ｂと、この支持金具２５ｂに取り付けられ、操作具２７と螺合する接続部２５ｃにより構成される。受け台２５ａは、合板等により形成され木製であり、またその形状は側面開口Ｈｓにおける電柱内径より若干小さめの径の円形板である。支持金具２５ｂはここでは後述するロッド配置用補助具４０を転用したものであるが、受け台２５ａを支持出来れば良いことから、特に形状等は任意に形成することが可能である。また接続部２５ｃは、後述するロッド配置用補助具４０の保持用にも利用される操作具２７のナット部２７ａと螺合し接続し得るねじ部材である。
【００７７】
また、このロッド受台２５の電柱への取り付けは、図１６に示すように、ロッド受台２５に操作具２７を接続し、さらにこの操作具２７を、電柱にバンド等により固定された操作具支持具２７ｂにより支持することで行う。
【００７８】
次に、図１７乃至図２５を参照して、ステップＳ２５のロッド配置用補助具４０を側面開口Ｈｓから挿入する工程について説明する。
【００７９】
まず図１８を参照するに、ロッド配置用補助具４０は、フレーム４１と、このフレーム４１の外周に固設されるロッド保持部４３及び雄ねじ４５と、フレーム４１の内側に設けられるガイドフレーム４７により構成される。
【００８０】
フレーム４１は円環状（図１８では鋼管を所定長で輪切りにした筒状であるが、鉄筋（ほぼ断面円形）を円形に曲げ加工したものでも良い）であり、このフレーム４１の外周に、鉄筋等でＵ字状に形成した４つのロッド保持部４３が溶接等により固設される。このフレーム４１の外周に固設されたロッド保持部４３のうち、任意の２つのロッド保持部４３の間に雄ねじ４７を該フレーム４１の外周に外側に向けて立設する。この雄ねじ４７に前述の操作具２７のナット部２７ａを螺合させ操作具２７を取り付けることにより、ロッド配置用補助具４０を側面開口Ｈｓから電柱内部へ操作具２７を操作して、円滑に挿入することができる。
【００８１】
さらにフレーム４１の内側には、ガイドフレーム４７が設けられる。このガイドフレーム４７は、その内径が前記配置用補助具ガイド棒３１Ｇの外径よりも若干大である鋼管を所定長で輪切りにした筒状であり、その外周部には一対のフック４９が溶接により固設される。これらフック４９は、Ｕ字状の細い鉄筋等が、一側が上向きに、他方の側が下向きに設けられる。
【００８２】
このロッド配置用補助具４０は、例えば、フレーム４１の最大径をそれぞれ１５０ｍｍ、１８０ｍｍ、２００ｍｍとした３種類のものを用意することで、電柱Ｐ内部の広さやロッド配置用補助具４０の最終的な取り付け位置の高さなどに応じて適宜選択可能となる。
【００８３】
図１７を参照するに、まず電柱頂部の吊り糸巻き取り用リール２１から下端部に錘２３ｗをつけた吊り糸２３を繰り出し、吊り糸２３をロッド配置用調整治具３０Ａ、３０Ｂ、３０Ｃの隙間を降下させる。続いて図１７、図１９に示すように電柱Ｐ内部を錘２３ｗと共に降下してきたスナップ付きサルカンを側面開口Ｈｓから引き出し、スナップ付きサルカンに一番目（電柱頂部からは４番目）のロッド配置用補助具４０Ａの上向きのフック４９を接続する。
【００８４】
さらにロッド配置用補助具４０Ａの下方にカメラＣの撮像方向を上向きにして、カメラＣをロッド配置用補助具４０Ａの下向きのフック４９に別個のカメラ挿入用の吊り糸により吊り下げる。このカメラＣによって、上部ロッドＬＵの配置位置や紐類の状態を映像をモニタで確認しながらひも操作工具２９を操作して、ガイドフレーム４７内に配置用補助具ガイド棒３１Ｇを、各ロッド保持部４３内に上部ロッドＬＵをそれぞれ挿入しながら、ロッド配置用補助具４０の引き上げ作業を行う。なお、ロッド配置用補助具４０の各ロッド保持部４５に上部ロッドＬＵを挿入する際には、上部ロッドＬＵを都度、引き上げ、個々に作業を進める。
【００８５】
次に、図２０乃至図２６に示すように、ひも操作工具２９を用いて吊り糸２３が常に電柱中空部の中心に位置するように保持しながら吊り糸２３を吊り糸巻き取り用リール２１で巻き取り、その端部を電柱頂部に粘着テープ等により仮留めする。同様にしてロッド配置用補助具４０Ｂ（電柱頂部からは５番目）を引き上げる。
【００８６】
このとき吊り糸２３にロッド配置用補助具４０Ａ、４０Ｂ毎に、予め寸法目印を付けて置くことにより、ロッド配置用補助具４０Ａ、４０Ｂの配置位置を容易かつ正確に位置決めすることができる。
【００８７】
ステップＳ２７において、図２７に示すように、ロッド配置用調整治具３０の各ロッド保持部３５及びロッド配置用補助具４０の各ロッド保持部４５により位置決めされた上部ロッドＬＵの下端が側面開口Ｈｓ位置より上方となる位置まで、上部ロッドＬＵを一旦、引き上げ、上部ロッドＬＵ上端をロッド固定装置１０に仮固定後、ロッド受台２５を側面開口Ｈｓから撤去する。
【００８８】
ステップＳ２９において、図２８に示すように４本の下部ロッドＬＤを側面開口Ｈｓから電柱内部の中空部に挿入する。
【００８９】
続いて、ステップＳ３１において、側面開口Ｈｓから配置用補助具４０Ｃ（電柱頂部からは６番目）を挿入する。このとき、側面開口Ｈｓから配置用補助具４０Ｃを挿入する前に、予め下部ロッドＬＤの吊り下げ用のアラミドロッドひもＬＬのそれぞれをロッド配置用補助具４０Ｃのロッド保持部４５（図１８参照）の環内に通しておく。このようにしておくことで、下部ロッドＬＤをロッド配置用補助具４０Ｃのロッド保持部４５の環内に容易に通すことが出来、下部ロッドＬＤをロッド保持部４５に対応させて最適位置に短時間で配置することができる。
【００９０】
図２９に示すように、同様にロッド懸吊用治具５０を側面開口Ｈｓから挿入する。この際にも、側面開口Ｈｓからロッド懸吊用治具５０を挿入する前に、予めロッド懸吊用治具５０の先端の弧状部分の懸吊部と柄部分の通し穴部に下部ロッドＬＤの吊り下げ用のアラミドロッドひもＬＬのそれぞれを通しておき、作業性を高める。
【００９１】
次に、ステップＳ３３において（図２９参照）、ロッド懸吊用治具５０で下部ロッドＬＤを懸吊すると共に、配置用補助具４０Ｃにより位置決めしつつ、下部ロッドＬＤを垂直状態に維持、固定する。この状態で、側面開口Ｈｓから砕石または豆砂利、モルタル、砂等の現場毎に最適な基礎材を投入し中空部底部に基礎を形成すると共に、下部ロッドＬＤを固定する。この工程においても、カメラＣで進行状況を確認しつつ、バケツ、ロート状の補助具、樋等を用いて、下部ロッドＬＤの錘２３ｗ部分全体が埋まる高さまで砕石Ｐ3等を中空部底面に均一になるように投入する。
【００９２】
続いて、図３０に示すように、配置用補助具４０Ｃ、カメラＣを徐徐に引き上げながら、モルタルＰ3を側面開口Ｈｓの位置近くまで充填する。充填が終了した後に、ロッド懸吊用治具５０、配置用補助具４０Ｃ及びカメラＣを側面開口Ｈｓから外部に取り出す。
【００９３】
次に、図３１に示すように、この取り出した配置用補助具４０Ｃに操作具２７を取り付け、再度、側面開口Ｈｓから電柱Ｐ内部に挿入する。図３１を参照するに、上部ロッドＬＵの仮固定を１本づつ解除しながら、上部ロッドＬＵ を配置用補助具４０Ｃのロッド保持部４５の環内に通した後に（図３２参照）、一旦、上部ロッドＬＵ上端をロッド固定装置１０に仮固定する。
【００９４】
ステップ３５において、図３３に示すように、上部ロッドＬＵの仮固定を解除し、上部ロッドＬＵを下部ロッドＬＤの上部と所定長だけ重なる位置まで下降させた後、再度、上部ロッドＬＵ上端をロッド固定装置１０に仮固定する。
【００９５】
ステップＳ３７において、図３４に示すように、側面開口Ｈｓからモルタル等を側面開口Ｈｓ位置まで投入し、上部ロッドＬＵおよび下部ロッドＬＤを固定する。
【００９６】
次に、電柱Ｐの内部の上部ロッドＬＵ、ロッド配置用調整治具３０（３０Ａ、３０Ｂ、３０Ｃ）、ロッド配置用補助具４０（４０Ａ、４０Ｂ、４０Ｃ）等の配置状況をカメラＣで撮像し、モニタＭで確認する確認工程について説明する。
【００９７】
先ず、カメラＣを頂部開口ＨＴから挿入してから、吊り糸巻き取り用リール２１を操作して、カメラＣを電柱内壁縁部に沿って徐々に下方に降ろす。この降ろす途中でカメラＣにより上部ロッドＬＵ、ロッド配置用調整治具３０（３０Ａ、３０Ｂ、３０Ｃ）、ロッド配置用補助具４０（４０Ａ、４０Ｂ、４０Ｃ）の配置状態を逐次撮像し、この逐次撮像した映像をモニタＭで観察して、これらが適正に配置されているか否かを確認する。
【００９８】
次に、補強処理における後処理工程について説明する。
【００９９】
ステップＳ３９において、配置状況が適正であることを確認後、この側面開口Ｈｓを止水モルタル、止水セメント等を用いて十分に閉塞し（図３５参照）、さらに図３６に示すように、地気線取出口（アース孔）や金物取付け孔（足場ボルト装着用の孔）等の電柱Ｐの全ての開口部を塞ぎ、閉塞処理を行うと共にロッド固定装置１０を取り外す。
【０１００】
そして、図３７を参照するに、ステップＳ４１において、電柱Ｐの頂部開口ＨＴに漏斗状部材を取り付け、バケツから漏斗状部材を介して電柱Ｐの内部の中空部に補強材（無収縮モルタルなど）Ｐ3を投入し、上部ロッドＬＵ、ロッド配置用調整治具３０（３０Ａ、３０Ｂ、３０Ｃ）、ロッド配置用補助具４０（４０Ａ、４０Ｂ、４０Ｃ）の間の隙間を補強材Ｐ3で充填する（図３８参照）。
【０１０１】
その後、図３９に示すように、ステップＳ４３において、この頂部開口ＨＴに末口蓋Ｔを取り付け復旧する。そして、最後に、側面開口Ｈｓ周辺を含む外周面を研磨し、この外周面をアラミド繊維シートＰｓで巻回し補強することで、電柱Ｐの復旧を終了する。
【０１０２】
ここで、アラミド繊維シートＰｓの貼付方法の一例を挙げる。まず側面開口Ｈｓ付近に、幅３０ｃｍ程度で１２０ｔｆ/ｍ（１１７６ｋＮ／ｍ）の耐力を有するアラミド繊維シートＰｓを、その耐力が略鉛直方向の耐力となるように２度にわたって貼付する（２層を形成）。その後、幅１０ｃｍ程度で９０ｔｆ／ｍ（８８２ｋＮ／ｍ）の耐力を有するアラミド繊維シートＰｓを、その耐力が略水平方向の耐力となるように側面開口Ｈｓ付近を螺旋状に巻回し、固定する。これにより削孔による側面開口Ｈｓ付近の強度低下を防止し、開口前以上の強度を得ることができる。図４０に施工後の電柱の断面図を示す。
【０１０３】
なお、以上の説明においては、電柱Ｐ内部に挿入する上部ロッドＬＵを４本とした例を説明したが、ロッドの本数（２本、３本、４本、・・・、１２本・・・）やそのロッド本数に応じたロッド配置用調整治具３０、ロッド配置用補助具４０及びロッド保持部４５等が提供されることは言うまでもないことである。すなわち、これらは、電柱Ｐ内部の広さやその他のさまざまな条件に応じて適宜変更することが可能である。
【図面の簡単な説明】
【０１０４】
【図１】本発明の補強方法における処理手順を説明するためのフローチャートである。
【図２】本補強方法の各工程における電柱およびその内部を示す図である。
【図３】落下防止ネット１７の使用状況を示す斜視図である。
【図４】落下防止ネット１７の構成を示す図である。
【図５】ロッド固定装置全体の構成とその取り付け状態を示す図である。
【図６】ロッド固定装置を構成するロッド固定金具１１の構成を示す(a)正面図、(b)平面図である。
【図７】ロッド固定装置の取り付けバンドとその取り付けを示す図である。
【図８】本補強方法の各工程における電柱およびその内部を示す図である。
【図９】上部ロッドＬＵの構成(a)(b)及びその延長のための接続金具(c)とその使用状態を示す図(d)である。
【図１０】本補強方法の各工程における電柱およびその内部を示す図である。
【図１１】本補強方法の各工程における電柱およびその内部を示す図である。
【図１２】ロッド配置用調整治具の構成を示す図である。
【図１３】ロッド配置用調整治具を電柱中空部に挿入する際の状態を示す図である。
【図１４】本補強方法の各工程における電柱およびその内部を示す図である。
【図１５】ロッド受台の構成を示す図である。
【図１６】ロッド受台の取り付け状態を示す図である。
【図１７】本補強方法の各工程における電柱およびその内部を示す図である。
【図１８】ロッド配置用補助具の構成を示す斜視図である。
【図１９】ロッド配置用補助具を電柱中空部に挿入する際の状態を示す図である。
【図２０】ロッド配置用補助具を電柱中空部に挿入する際の状態を示す図である。
【図２１】本補強方法の各工程における電柱およびその内部を示す図である。
【図２２】本補強方法の各工程における電柱およびその内部を示す図である。
【図２３】本補強方法の各工程における電柱およびその内部を示す図である。
【図２４】本補強方法の各工程における電柱およびその内部を示す図である。
【図２５】本補強方法の各工程における電柱およびその内部を示す図である。
【図２６】本補強方法の各工程における電柱およびその内部を示す図である。
【図２７】本補強方法の各工程における電柱およびその内部を示す図である。
【図２８】本補強方法の各工程における電柱およびその内部を示す図である。
【図２９】ロッド懸吊用治具の構成を示す斜視図である。
【図３０】本補強方法の各工程における電柱およびその内部を示す図である。
【図３１】本補強方法の各工程における電柱およびその内部を示す図である。
【図３２】本補強方法の各工程における電柱およびその内部を示す図である。
【図３３】本補強方法の各工程における電柱およびその内部を示す図である。
【図３４】本補強方法の各工程における電柱およびその内部を示す図である。
【図３５】本補強方法の各工程における電柱およびその内部を示す図である。
【図３６】本補強方法の各工程における電柱およびその内部を示す図である。
【図３７】本補強方法の各工程における電柱およびその内部を示す図である。
【図３８】本補強方法の各工程における電柱およびその内部を示す図である。
【図３９】本補強方法の各工程における電柱およびその内部を示す図である。
【図４０】本補強方法の全工程終了後における電柱およびその内部を示す図である。
【符号の説明】
【０１０５】
Ｐ…電柱
Ｃ…カメラ
Ｄ…穿孔機(ドリル)
Ｔ…末口蓋
ＨＴ…頂部開口
Ｈｓ…側面開口
ＬＵ…上部ロッド
ＬＬ…アラミドロッドひも
ＬＤ…下部ロッド
Ｌc…ロッド接続用留具
Ｍ…モニタ
１０…ロッド固定装置
１１…ロッド固定金具
１５…取り付けバンド
１７…落下防止ネット
１１１…支柱板
１１５…支持腕
１１９…ロッド留め具
２１…吊り糸巻き取り用リール
２３…吊り糸
２３ｗ…錘
２５…ロッド受台
２７…操作具
２７ａ…ナット部
２７ｂ…操作具支持具
２９…ひも操作工具
３０…ロッド配置用調整治具
３１…棒状部
３３…腕部
３５…ロッド保持部
４０…ロッド配置用補助具
４１…フレーム
４３…ロッド保持部
４５…雄ねじ
４７…ガイドフレーム
４９…フック
５０…ロッド懸吊用治具
【図１】
0004459139.tif 000002
【図２】
0004459139.tif 000003
【図３】
0004459139.tif 000004
【図４】
0004459139.tif 000005
【図５】
0004459139.tif 000006
【図６】
0004459139.tif 000007
【図７】
0004459139.tif 000008
【図８】
0004459139.tif 000009
【図９】
0004459139.tif 000010
【図１０】
0004459139.tif 000011
【図１１】
0004459139.tif 000012
【図１２】
0004459139.tif 000013
【図１３】
0004459139.tif 000014
【図１４】
0004459139.tif 000015
【図１５】
0004459139.tif 000016
【図１６】
0004459139.tif 000017
【図１７】
0004459139.tif 000018
【図１８】
0004459139.tif 000019
【図１９】
0004459139.tif 000020
【図２０】
0004459139.tif 000021
【図２１】
0004459139.tif 000022
【図２２】
0004459139.tif 000023
【図２３】
0004459139.tif 000024
【図２４】
0004459139.tif 000025
【図２５】
0004459139.tif 000026
【図２６】
0004459139.tif 000027
【図２７】
0004459139.tif 000028
【図２８】
0004459139.tif 000029
【図２９】
0004459139.tif 000030
【図３０】
0004459139.tif 000031
【図３１】
0004459139.tif 000032
【図３２】
0004459139.tif 000033
【図３３】
0004459139.tif 000034
【図３４】
0004459139.tif 000035
【図３５】
0004459139.tif 000036
【図３６】
0004459139.tif 000037
【図３７】
0004459139.tif 000038
【図３８】
0004459139.tif 000039
【図３９】
0004459139.tif 000040
【図４０】
0004459139.tif 000041